(57)【要約】【課題】長尺状製品を収納するに際し、コストを抑制することができ、強度も十分に確保することが可能な収納ラックを提供する。【解決手段】長尺状製品であるパネルＰを長手方向に沿って複数並べた状態で収納するための収納室１０と、この収納室１０にパネルＰを長手方向の一端側から挿入するための第１プレートチェーン１１と、収納室１０に長手方向に沿って配置される複数の第２プレートチェーン１４と、挿入装置を昇降させるためのリフター１３とを備え、第１プレートチェーン１１から第２プレートチェーン１４へとパネルＰを引き渡すことで、パネルＰを収納室１０内の所定の箇所に収納するように構成した。好ましくは、１つの第２プレートチェーン１４に対してパネルＰを積層したユニットＵが１つ搭載された状態で収納される。【選択図】図３
2008094608.tif 000002
【特許請求の範囲】
【請求項１】
長尺状製品を長手方向に沿って複数並べた状態で収納するための収納室と、
この収納室に長尺状製品を長手方向の一端側から挿入するための第１プレートチェーンを有する挿入装置と、
収納室に前記長手方向に沿って配置される複数の第２プレートチェーンと、
前記挿入装置を昇降させるための昇降装置と、を備え、
第１プレートチェーンから第２プレートチェーンへと長尺状製品を引き渡すことで、長尺状製品を収納室内の所定の箇所に収納するように構成したことを特徴とする収納ラック。
【請求項２】
１つの第２プレートチェーンに対して長尺状製品を積層したユニットが１つ搭載された状態で収納されることを特徴とする請求項１に記載の収納ラック。
【請求項３】
前記長尺状製品は、表裏両面に対向配置された面材間に発泡性樹脂芯材が発泡成形されてなるサンドイッチパネルであることを特徴とする請求項１又は２に記載の収納ラック。
【発明の詳細な説明】
【技術分野】
【０００１】
本発明は、長尺状製品を収納するための収納ラックに関するものである。
【背景技術】
【０００２】
かかる長尺状製品として、サンドイッチパネルが例としてあげられる。サンドイッチパネルを製造する工程の一例は、下記特許文献１に開示されている。サンドイッチパネルは、例えば、硬質ポリウレタンフォームを厚さの薄い上面材と下面材によりサンドイッチした構造を有しており、断熱パネルなどとして利用されている。このサンドイッチパネルの製造工程においては、上面材を巻き付けたロールと、下面材を巻き付けたロールから、夫々ロールを引き出していき、これら面材間に硬質ポリウレタンフォームを発泡させて成形する。かかるサンドイッチパネルは、帯状の形態で連続的に製造されていき、裁断装置により所定サイズのパネルとなるように裁断される。裁断装置により裁断されたサンドイッチパネルのサイズには、種々のサイズのものが考えられるが、本発明は特に長尺状の形状に裁断されたサンドイッチパネルに関するものである。
【０００３】
【特許文献１】特開平１１−２６８１０９号公報
【発明の開示】
【発明が解決しようとする課題】
【０００４】
裁断された長尺状のサンドイッチパネルは、出荷する前に所定の収納ラックに収納され、一定期間保管される。収納ラックに収納する場合には、自動倉庫により自動的に収納させる構成が望まれる。自動倉庫としては、スタッカークレーンを用いるものが知られている。スタッカークレーンは、直立したガイドフレームに沿って上下動するフォークを備えており、フォークの出し入れにより収納物を出し入れするものである。
【０００５】
しかしながら、長尺状のサンドイッチパネルなどを出し入れしようとすると、フォークの長さも長くなるため強度を確保しようとすると、かなり大掛かりな構造が要求される。そのために、自動倉庫のコストアップを招くという問題がある。
【０００６】
本発明は上記実情に鑑みてなされたものであり、その課題は、長尺状製品を収納するに際し、コストを抑制することができ、強度も十分に確保することが可能な収納ラックを提供することである。
【課題を解決するための手段】
【０００７】
上記課題を解決するため本発明に係る収納ラックは、
長尺状製品を長手方向に沿って複数並べた状態で収納するための収納室と、
この収納室に長尺状製品を長手方向の一端側から挿入するための第１プレートチェーンを有する挿入装置と、
収納室に前記長手方向に沿って配置される複数の第２プレートチェーンと、
前記挿入装置を昇降させるための昇降装置と、を備え、
第１プレートチェーンから第２プレートチェーンへと長尺状製品を引き渡すことで、長尺状製品を収納室内の所定の箇所に収納するように構成したことを特徴とするものである。
【０００８】
かかる構成による収納ラックの作用・効果を説明する。収納ラックには、多数の収納室が設けられるが、収納室には、長尺状製品が長手方向に沿って複数並べた状態で収納される。収納室に長尺状製品を収納する場合には、収納室の長手方向の一端側から順番に挿入することができる。そのための挿入装置として、第１プレートチェーンが用いられる。プレートチェーンを用いれば、長尺状製品はその上に搭載しておけばよいので、強度的な面での不安要因がない。また、収納室内にも長手方向に沿って複数の第２プレートチェーンが配置される。長尺状製品を挿入する時は、第１プレートチェーンから第２プレートチェーンへと製品を引き渡すことで、収納室内の所定の箇所に収納させることができる。逆に、収納室から出す時は、第２プレートチェーンから第１プレートチェーンへと製品が引き渡される。このように、複数のプレートチェーンを組み合わせた構造であるから、強度的に確保した状態で長尺状製品を出し入れすることができる。また、スタッカークレーンのような大掛かりな構造は不要であり、コストを抑制することができる。その結果、長尺状製品を収納するに際し、コストを抑制することができ、強度も十分に確保することが可能な収納ラックを提供することができる。
【０００９】
本発明において、１つの第２プレートチェーンに対して長尺状製品を積層したユニットが１つ搭載された状態で収納されることが好ましい。
【００１０】
かかる構成によれば、各プレートチェーンを個別に制御することで、個々のユニットの出し入れの制御を行うことができ、ユニットを保管する場合の管理を容易に行なうことができる。また、収納する場合に、長尺状製品を積層したユニット単位で扱うことができ、大量の長尺状製品を収納させることができる。
【００１１】
本発明に係る長尺状製品は、表裏両面に対向配置された面材間に発泡性樹脂芯材が発泡成形されてなるサンドイッチパネルであることが好ましい。
【００１２】
これにより、一連の製造工程の最終段階にてサンドイッチパネルを収納ラックの収納室に収納するように制御することができる。
【発明を実施するための最良の形態】
【００１３】
本発明に係る収納ラックの好適な実施形態を図面を用いて説明する。まず、長尺状製品の一例であるサンドイッチパネルについて説明する。
【００１４】
製造されるサンドイッチパネルＰ（長尺状製品の一例であり、以下、パネルＰと省略）の断面構造を図１に示す。パネルＰは、上面材１と下面材３の間に発泡した硬質ポリウレタン樹脂層２（発泡性樹脂芯材に相当）が挟持された形態である。上面材１と下面材３は、同じ材質であり、例えば、紙（クラフト紙や樹脂カニネート紙など）やアルミ箔などの軟質材料が使用される。
【００１５】
図２は、パネルＰを収納する時の梱包態様を示す図である。パネルＰは複数個（図例では１１）が上下に積層された状態で梱包される。パネルＰは、番木４ａを有する梱包用パレット４の上に搭載され、紐５によりくくりつけられる。この複数のパネルＰが梱包されたものを説明の便宜上梱包ユニットＵと称する。
【００１６】
図３は、収納ラックの構造を模式的に示す図である。図３（ａ）は平面図、（ｂ）は斜視図である。説明の便宜上、座標軸を設定し、ｘ方向は図の左右方向、ｙ方向は図の前後方向、ｚ方向は図の上下方向を表わすものとする。収納ラックは、大きく分けてラックゾーンＺ１とリフターゾーンＺ２に分けられる。ラックゾーンＺ１は、梱包ユニットＵが収納される収納室１０が多数立体的に配置されて構成される。収納室１０は、上下方向に５つ、前後方向に８つが配置されている。なお、収納室の配置個数については、任意に設定できるものであり、特定の態様に限定されるものではない。
【００１７】
１つの収納室１０には、３つのユニットＵが長手方向に沿って収納されている。ただし、１つの収納室１０にユニットＵをいくつ収納するかについては、適宜設定できるものである。収納室１０にユニットＵを収納する場合には、長手方向の一端側１０ａから収納させる。また、各収納室１０には、プレートチェーン１１（第２プレートチェーンに相当）が３つ配置されている。各プレートチェーン１１の上に１つのユニットＵが搭載された状態で収納される。
【００１８】
各収納室１０にユニットＵを出し入れするために挿入装置１２が設けられている。挿入装置１２としては、リフター１３（昇降装置に相当）の上にプレートチェーン１４（第１プレートチェーンに相当）が搭載されている。リフター１３を駆動することで、ｚ方向にユニットＵが移動する。リフター１３上のプレートチェーン１４を駆動することで、ユニットＵを収納室１０内に挿入することができる。また、リフター１３全体がｙ方向に移動可能に構成されており、任意の収納室１０にユニットＵを収納することができる。
【００１９】
リフター１３は公知の構成を有するテーブルリフターを用いることができ、プレートチェーン１１も同様に公知の構成のものを使用することができる。
【００２０】
次に、寸法例について説明する。ユニットＵ（パネルＰ）の長手方向の長さは１０ｍ、パネルＰが積層されたユニットＵの高さは１ｍ、番木４ａの厚みは１００ｍｍである。また、プレートチェーン１１の高さを２５０ｍｍとし、収納室１０における上部の余裕１００ｍｍとした場合、１つの収納室１０における高さ方向の必要寸法は１４５０ｍｍとなる。従って、ｚ方向に収納室１０を５段構成するとすれば、収納ラックの高さ寸法Ａは８ｍ以下とすることができる。
【００２１】
長手方向については、ユニットＵの長さが１ｍであり、左右ｘ方向に３００ｍｍずつの余裕を取れば、１つのユニットＵについての必要寸法は１０６００ｍｍである。よってユニット３つ分の必要寸法Ｃとしては約３３ｍとすることができる。
【００２２】
リフターゾーンＺ２におけるｘ方向の必要寸法Ｅとしては、ユニットＵの長手方向の寸法１０ｍに対して余裕を取り、１２ｍとすることができる。従って、ｙ方向の収納ラックの全長Ｄは４５ｍとなる。
【００２３】
ラックゾーンＺ１のｙ方向の寸法Ｂについても、ユニットＵの幅寸法と収納室１０における余裕寸法に基づいて、決めることができる。本実施形態の場合は、収納室１０をｙ方向に８列配置しており、寸法Ｂは１０ｍ程度としている。
【００２４】
次に、収納ラックの各部の動作に関する制御機能を図４により簡単に説明する。チェーン駆動部２０は、ラックゾーンＺ１における各プレートチェーン１１を駆動する。各プレートチェーン１１は夫々個別に駆動を制御することができる。検出部２１は、収納室１０内にユニットＵが収納されているか否かの状態を検出する。また、収納室１０内の所定の位置にユニットＵが位置しているかどうかの検出も行なう。検出部２１は、収納室１０内に設けられるセンサー（光センサーなど）や、プレートチェーン１１に連動するエンコーダなどにより構成することができる。
【００２５】
リフター駆動部２２は、リフター１３を駆動するものであり、高さが所定高さとなるようにリフター１３の搭載面を上下駆動させる。また、挿入装置１２の全体をｙ方向に移動させ、所定の収納室１０にユニットＵが収納できるようにする。チェーン駆動部２３は、リフター１３に搭載されているプレートチェーン１４を駆動する。検出部２４は、プレートチェーン１４上におけるユニットＵの搭載状況を検出する。プレートチェーン１４の上にユニットＵが存在しているか否か、ユニットＵが移動している最中であるか否かなどを検出することができる。検出部２４の具体的な構成については、検出部２１と同様にすることができる。
【００２６】
制御部２５は、検出部２１，２４などの検出結果などに基づいて、各駆動部などに対する制御を行う。管理用データベース２６は、収納室１０内に収納されているユニットＵの管理を行なう。例えば、ユニットＵが収納された日付・時刻、ユニットＵの構成、パネルＰの仕様、ユニットＵの収納箇所、出荷予定日などの種々の情報が記憶され管理されている。
【００２７】
次に、挿入装置１２から収納室１０へユニットＵを挿入する時の動作を図５により簡単に説明する。図５（ａ）は、リフター１３の上にユニットＵが搭載されている状態である。この状態からプレートチェーン１４を駆動すると、（ｂ）に示すように、ユニットＵは収納室１０側へ移動し、収納室１０内のプレートチェーン１１に引き渡される。以下、順番に奥側のプレートチェーン１１に引き渡され、（ｃ）が収納完了の状態を示している。挿入装置１２から収納室１０内へ完全にユニットＵが引き渡されたことを検出部２４により検出すると、プレートチェーン１４は停止する。以下、順番に引き渡されたことが確認されると、順番に収納室１０内のプレートチェーン１１が停止する。収納室１０内のユニットＵの位置については、検出部２１により検出される。収納室１０からユニットＵを取り出す場合は、挿入する場合とは逆の動きをさせればよい。
【００２８】
＜別実施形態＞
本実施形態において、サンドイッチパネルを収納する場合を説明したが、サンドイッチパネル以外の長尺状製品を収納する場合にも本発明は適用されるものである。本実施形態では、サンドイッチパネルを複数積層したユニットを1単位として収納していたが、長尺状製品をどのような形態で収納するかについては、長尺状製品のサイズに応じて適宜決めることができる。
【００２９】
本実施形態において、リフターゾーンＺ２の片側にのみラックゾーンＺ１が設けられているが、両側にラックゾーンＺ１を設けても良く、各ゾーンの配置形態については種々の変形例が考えられる。
【図面の簡単な説明】
【００３０】
【図１】サンドイッチパネルの構造を示す図
【図２】サンドイッチパネルを収納する時の梱包態様を示す図
【図３】収納ラックを模式的に示す図
【図４】収納ラックの各部
【図５】ユニットを収納する時の動作を示す図
【符号の説明】
【００３１】
１０      収納室
１１      プレートチェーン
１２      挿入装置
１３      リフター
１４      プレートチェーン
Ｐ        サンドイッチパネル
Ｕ        ユニット
Ｚ１      ラックゾーン
Ｚ２      リフターゾーン
【図１】
2008094608.tif 000003
【図２】
2008094608.tif 000004
【図３】
2008094608.tif 000005
【図４】
2008094608.tif 000006
【図５】
2008094608.tif 000007